(57)【特許請求の範囲】
【請求項１】
画データを受信して画メモリに記憶し、１頁分受信すると画メモリから画データを呼び出して印刷するファクシミリ装置において、
次頁の画データを受信する前に前記画メモリの空き容量を算出する空容量算出手段と、
前記画メモリに記憶されている未印刷の画データの頁数を算出する受信画頁算出手段と、
算出された前記画メモリの空き容量に対応する予め設定された基準値に対して、算出された前記未印刷画データの頁数が前記基準頁値以上の場合は次頁受信不可と判断して次頁の受信を遅らせる制御手段とを備えたことを特徴とするファクシミリ装置。
【請求項２】
算出された前記画メモリの容量が大きいほど、前記基準値が大きく設定されることを特徴とする請求項１記載のファクシミリ装置。
【請求項３】
前記制御手段は、次頁受信不可と判断すると発呼局へ受信不可信号を送出することを特徴とする請求項１記載のファクシミリ装置。
【請求項４】
次頁の受信を遅らせた後に再度、前記画メモリの空き容量および前記画メモリに記憶されている未印刷の画データの頁数を算出し、
前記制御手段は、算出された前記画メモリの空き容量に対応する前記基準値に対して、算出された前記未印刷画データの頁数が前記基準値以上か否かを判定し、前記未印刷画データの頁数が前記基準値以上の場合は次頁受信不可と判断して発呼局へ受信不可信号を送出し、前記未印刷画データの頁数が前記基準値未満の場合は次頁受信可と判断して発呼局へ受信可である確認信号を送出することを特徴とする請求項１記載のファクシミリ装置。
【発明の詳細な説明】
【０００１】
【発明の属する技術分野】
本発明は、受信した画データをメモリに記憶し、１頁分受信すると画データを印刷するファクシミリ装置に関する。
【０００２】
【従来の技術】
一般に、ファクシミリ装置は画メモリ及び記録部を備えている。この様なファクシミリ装置では、通信回線を介して受信した画データを画メモリに記憶すると共に、１頁分記憶すると、この画データを記録部に転送して受信画像として印刷していた。
【０００３】
【発明が解決しようとする課題】
画データを受信する時間は記録部が印刷する時間よりも速い場合があり、従って、画データを複数頁受信する場合、画メモリには未印刷の画データが複数頁溜まることになる。従来のファクシミリ装置にあっては、画メモリに記憶される未印刷画データの頁数が予め固定値として設定されており、従って、未印刷画データの頁数が固定値を越える場合、次頁を記憶可能な空容量が画メモリにあっても、未印刷画データの頁数が印刷に応じて固定値よりも少なくなるまで、次頁の画データを受信することができなかった。従って、受信時間が増大していた。
【０００４】
【課題を解決するための手段】
前記課題を解決するために、本発明が講じた解決手段は、画データを受信して画メモリに記憶し、１頁分受信すると画メモリから画データを呼び出して印刷するファクシミリ装置において、次頁の画データを受信する前に前記画メモリの空き容量を算出する空容量算出手段と、前記画メモリに記憶されている未印刷の画データの頁数を算出する受信画頁算出手段と、算出された前記画メモリの空き容量に対応する予め設定された基準値に対して、算出された前記未印刷画データの頁数が前記基準値以上の場合は次頁受信不可と判断して次頁の受信を遅らせる制御手段とを備えたものである。
【０００５】
上述の解決手段によれば、空容量算出手段は画メモリの空き容量を算出し、受信画頁算出手段は画メモリに記憶されている未印刷の画データの頁数を算出し、制御手段は、算出された前記画メモリの空き容量に対応する予め設定された基準値に対して、算出された前記未印刷画データの頁数が前記基準値以上の場合は次頁受信不可と判断して次頁の受信を遅らせる。
【０００６】
【発明の実施の形態】
以下に本発明の実施の形態を図面を参照しながら詳細に説明する。なお、各図面に共通する要素には同一の符号を付す。図１は本発明に係る実施の形態におけるファクシミリ装置のブロック図である。
【０００７】
ファクシミリ装置１は誤り訂正機能を有するファクシミリ装置であり、画メモリ２、画像処理部３、モデム４、記録部５、制御部６及び操作部７を備えている。画メモリ２、モデム４及び記録部５は画像信号ライン８ａを介して画像処理部３と接続されている。モデム４には、通信回線８ｃを介して、画データが含まれた伝送信号Ｄ１が入力される。画像処理部３は受信した画データを伸長することで復号化する。制御部６はファクシミリ装置１の全体を制御し、制御用バスライン８ｂを介して、画メモリ２、画像処理部３、モデム４、記録部５及び操作部７が接続されている。
【０００８】
また、制御部６は空容量算出手段９及び受信画頁算出手段１０を内蔵しており、両手段９、１０を用いて画メモリ２の空情報を監視する。空容量算出手段９は画メモリ２の空容量（単位：キロバイト）を算出する手段であり、受信画頁算出手段１０は画メモリ２に記憶されている未印刷画データの頁数を算出する手段である。
【０００９】
操作部７は入力操作等の操作を行う操作パネル（図示せず）を備えている。
【００１０】
なお、本実施の形態では、画メモリ２の容量を２５６キロバイト（Ｋバイト）とし、記録部５の印刷速度をＡ４サイズの用紙最大４枚／分とし、画データの伝送速度を１４．４Ｋｂｉｔ／ｓとし、受信するＡ４サイズの原稿の画データ量を１０Ｋバイト／頁と想定し、今画メモリ２には予め別の画データ（メモリ送信用の原稿等）が１２８Ｋバイト記憶されているものとする。
【００１１】
次に、本実施の形態のファクシミリ装置１の受信動作を図２及び図３を加えて説明する。図２は実施の形態のファクシミリ装置の受信時のフローチャート、図３は実施の形態のファクシミリ装置の受信引き伸し時のシーケンス説明図である。
【００１２】
発呼局が通信回線８ｃを介してファクシミリ装置１（被呼局）のモデム１４に伝送信号Ｄ１を送出すると（ステップＳ１）、モデム１４は伝送信号Ｄ１を復調して受信画データを取り出し画像処理部３へ送出する（ステップＳ２）。画像処理部３はモデム４から送出される符号化された画データを画メモリ２に記憶する（ステップＳ３）。そして１頁分の画データが受信され画メモリ２に記憶されると、ステップＳ４からステップＳ５に進み、画像処理部３は画データを復号化し、記録部５に転送する。記録部５は復号化された画データを受信画像として印刷する。
【００１３】
発呼局では、１頁分の画データ送出が終了すると、１頁の終りを示す制御信号を送っている。制御部６は受信開始後１頁目の受信が完了したか否かを監視しており、発呼局から手順終了信号ＥＯＰ（Ｅｎｄ  ｏｆ  Ｐｒｏｃｅｄｕｒｅｓ）の制御信号を受信すると、発呼局で続けて送るべき原稿がないと判断し、受信動作を終了する。また制御部６は発呼局からマルチページ信号ＭＰＳ（Ｍｕｌｔｉｐａｇｅ  Ｓｉｇｎａｌ）の制御信号を受信すると、発呼局から送られる原稿がまだあると判断し、ステップＳ６からステップＳ７に進む。
【００１４】
ステップＳ７に進んだ場合、制御部６の空容量算出手段９は、画メモリ２の空容量を算出する。上述したように、画メモリ２の容量は２５６Ｋバイトであり、既に１２８Ｋバイトの画データを記憶しており、今発呼局から１頁目の画データを受信しているので、式（１）に示すように、画メモリ２の空容量は「１１８Ｋバイト」となる。
【００１５】
２５６−１２８−１０＝１１８［Ｋバイト］・・・（１）
また制御部６の受信画頁算出手段１０は、画メモリ２の未印刷頁数を算出する。今１頁目の画データを記憶し、かつ印刷開始直後であり印刷中であるので、未印刷頁数は「１頁」と算出される。従って、ステップＳ８、ステップＳ９及びステップＳ１０に進み、ステップＳ１０からステップＳ３に戻る。即ち、制御部６は次頁受信可能と判断し、２頁目の受信を行う。
【００１６】
ところで、１０Ｋバイトの画データ１頁を受信する時間は、中手順の時間も含めると約８秒程度となり、また記録部５の印刷速度は１５秒／１頁であり、従って、ファクシミリ装置１が続けて発呼局からの画データを受信していくと、画メモリ２の空容量が減っていくと共に画メモリ２内の未印刷頁数が増加していく。
【００１７】
従って、空容量算出手段９及び受信画頁算出手段１０により、空容量が１２８Ｋバイト未満で受信画頁数が４頁以上と算出されると制御部６は次頁受信不可と判断し、ステップＳ８からステップＳ９、ステップＳ１０及びステップＳ１４に進み、フロー制御を行って次頁受信を引き延ばす。
【００１８】
即ち、図３に示すように、発呼局からＭＰＳ信号を受信後、制御部６は受信不可ＲＮＲ（Ｒｅｃｅｉｖｅ  Ｎｏｔ  Ｒｅａｄｙ）信号を発呼局へ送出する。発呼局はＲＮＲ信号を入力するとＴ．３０勧告に従い、受信可ＲＲ（            Ｒｅｃｅｉｖｅ  Ｒｅａｄｙ）信号によって被呼局の受信準備状態を確認する。被呼局ではＲＲ信号を受信すると、ステップＳ７に戻り、制御部６は画メモリ２の空容量及び受信画頁数を算出する。そして、制御部６が次頁受信不可と判断すると再びＲＮＲ信号を発呼局に送出する。
【００１９】
この間、記録部５は画像処理部３から転送される画データの印刷を行っており、従って画メモリ２の空容量は増加し受信画頁数は減少する。
【００２０】
そして、フロー制御実行中（次頁の受信引き延ばし実行中）に、印刷中の頁が印刷完了し、空容量が６４Ｋバイト以上１２８Ｋバイト未満になり、受信画頁数が４頁未満になると、制御部６は発呼局へメッセージ確認ＭＣＦ（ＭｅｓａｇｅＣｏｎｆｉｒｍａｔｉｏｎ）信号を送出する。発呼局はＭＣＦ信号を受信すると次頁画データを被呼局のモデム４へ送出し、ファクシミリ装置１は次頁画データの受信を開始する。
【００２１】
ここで、最初に想定した画メモリ２に予め記憶されている別の画データが６４Ｋバイトである場合は、最大７頁まで印刷に先行して受信が可能である。即ち、ステップＳ７において、空容量算出手段９により算出された容量が１２８Ｋバイト以上１９２Ｋバイト未満であり、受信画頁算出手段１０により算出された頁数が８頁未満であるとき、制御部６は次頁受信可と判断し、ステップＳ８、ステップＳ９、ステップＳ１０、ステップＳ１１、ステップＳ１２に進み、ステップＳ１２からステップＳ３に戻り、次頁画データの受信を開始する。
【００２２】
なお、ステップＳ１２で、受信画頁数が８頁以上であると算出されると、上述と同様のフロー制御を行って次頁受信を引き延ばす。
【００２３】
また、画メモリ２に別の画データが記憶されていない場合は、最大１１頁まで印刷に先行して受信が可能である。即ちステップＳ７において、空容量算出手段９及び受信画頁算出手段１０により算出された画メモリ２の空容量及び受信画頁数が１９２Ｋバイト以上、１２頁未満であるとき、制御部６は次頁受信可と判断し、ステップＳ８、ステップＳ９、ステップＳ１１、ステップＳ１３に進み、ステップＳ１３からステップＳ３に戻り、次頁画データの受信を開始する。
【００２４】
なお、ステップＳ１３で、受信画頁数が１２頁以上であると算出されると、上述と同様のフロー制御を行って次頁受信引き延ばす。
【００２５】
本実施の形態では、画メモリ２の容量が２５６Ｋバイトと想定して説明しているが、これは一例であり、また画メモリの容量に応じてステップＳ８〜ステップＳ１３の判断基準は通信が破綻しない範囲内で夫々変わるものである。
【００２６】
本実施の形態では、発呼局から１頁受信する毎に、制御部６が画メモリ２の空容量及び画メモリ２に記憶している受信画頁数の両方を算出して、次頁画データを受信可／不可を判断している。従って、画メモリ２に次頁を記憶可能な空容量があっても、受信不可と誤判断してＲＮＲ信号を発呼局に出力し、次頁の受信を遅らせてしまうということはない。即ち、フロー制御を実行する必要が無いにも拘らずフロー制御を行って、受信が遅れることによる通信時間の増大が発生してしまうことはない。
【００２７】
【発明の効果】
以上詳細に説明したように、本発明は、空容量算出手段は画メモリの空き容量を算出し、受信画頁算出手段は画メモリに記憶されている未印刷の画データの頁数を算出し、制御手段は、算出された前記画メモリの空き容量に対応する予め設定された基準値に対して、算出された前記未印刷画データの頁数が前記基準値以上の場合は次頁受信不可と判断して次頁の受信を遅らせることにより、画メモリに次頁を記憶可能な空容量があっても次頁の画データを受信することができないということはなく、従って、受信時間を増大させてしまうことはない。
【図面の簡単な説明】
【図１】本発明に係る実施の形態のファクシミリ装置のブロック図である。
【図２】実施の形態の受信時のフローチャートである。
【図３】実施の形態の受信引き延ばし時のシーケンス説明図である。
【符号の説明】
１  ファクシミリ装置
２  画メモリ
６  制御部
９  空容量算出手段
１０  受信画頁算出手段
【図１】
0003762496.tif 000002
【図２】
0003762496.tif 000003
【図３】
0003762496.tif 000004